(57)【要約】【課題】粘弾性体の装着によりゴルフクラブヘッドの振動を低減するにあたり、より広範囲な周波数の振動を低減すること。【解決手段】粘弾性体が装着されたゴルフクラブヘッドにおいて、前記粘弾性体が、損失係数の温度依存性が異なる複数種類の粘弾性材料を混合して構成されていることを特徴とする。【選択図】図４
2007151828.tif 000002
【特許請求の範囲】
【請求項１】
粘弾性体が装着されたゴルフクラブヘッドにおいて、
前記粘弾性体が、損失係数の温度依存性が異なる複数種類の粘弾性材料を混合して構成されていることを特徴とするゴルフクラブヘッド。
【請求項２】
前記複数種類の粘弾性材料は互いに損失係数のピーク値温度が異なることを特徴とする請求項１に記載のゴルフクラブヘッド。
【請求項３】
前記複数種類の粘弾性材料は、損失係数のピーク値温度の差が摂氏１５度以上である２種類の粘弾性材料を含むことを特徴とする請求項１に記載のゴルフクラブヘッド。
【請求項４】
前記複数種類の粘弾性材料は、損失係数のピーク値温度が摂氏−３０度未満の粘弾性材料と、損失係数のピーク値温度が摂氏−３０度以上の粘弾性材料とを含むことを特徴とする請求項１に記載のゴルフクラブヘッド。
【請求項５】
前記粘弾性体の損失係数が摂氏−４０度以上−１０度以下の範囲で０．３以上であることを特徴とする請求項１に記載のゴルフクラブヘッド。
【請求項６】
前記粘弾性体が前記ゴルフクラブヘッド内部に配設されていることを特徴とする請求項１に記載のゴルフクラブヘッド。
【請求項７】
前記ゴルフクラブヘッドが、
ヘッド本体と、
前記ヘッド本体の正面側に取り付けられ、フェース面を構成するフェースプレートと、
を備え、
前記粘弾性体が前記ゴルフクラブヘッド内部に配設されると共に、前記フェースプレートの背面に密着していることを特徴とする請求項１に記載のゴルフクラブヘッド。
【請求項８】
前記ゴルフクラブヘッドは、アイアン型のゴルフクラブヘッドであることを特徴とする請求項１に記載のゴルフクラブヘッド。
【発明の詳細な説明】
【技術分野】
【０００１】
本発明はゴルフクラブヘッドに関し、特に、粘弾性体の装着によるゴルフクラブヘッドの制振技術に関する。
【背景技術】
【０００２】
インパクト時の打感の向上や打音の調整のため、粘弾性体を取り付けたゴルフクラブヘッドが提案されている。粘弾性体を取り付けることでインパクト時の振動が粘弾性体により吸収され、打感が向上されると共にプレイヤーに耳障りとなる打音を低減することができる。特許文献１には比重と弾性が異なる複数種類の弾性錘を装着したゴルフクラブヘッドが開示されている。また、特許文献２には硬度が異なる複数種類の弾性体を装着したゴルフクラブヘッドが開示されている。
【０００３】
【特許文献１】実用新案登録第３１１２０３８号公報
【特許文献２】特開２００４−３１３７７７号公報
【発明の開示】
【発明が解決しようとする課題】
【０００４】
ここで、本発明の発明者がゴルフクラブヘッド単体での共振周波数について検証したところ、概ね４０００Ｈｚ〜１００００Ｈｚの範囲の複数の周波数において共振周波数が確認された。従って、ゴルフクラブヘッドの振動をより効果的に低減するためには、広範な周波数の範囲について振動を低減できる粘弾性体をゴルフクラブヘッドに装着することが望ましい。しかし、一般に粘弾性材料が振動低減に効果的な周波数の範囲にはその材料に応じて限界がある。また、本発明の発明者がゴルフクラブ全体での共振周波数について検証したところ、概ね２０００Ｈｚ以下の範囲の複数の周波数において共振周波数が確認された。従って、ゴルフクラブ全体としてその振動を低減しようとする場合には更に広範な周波数の範囲について振動を低減する必要がある。
【０００５】
従って、本発明の目的は、粘弾性体の装着によりゴルフクラブヘッドの振動を低減するにあたり、より広範囲な周波数の振動を低減することにある。
【課題を解決するための手段】
【０００６】
本発明によれば、粘弾性体が装着されたゴルフクラブヘッドにおいて、前記粘弾性体が、損失係数の温度依存性が異なる複数種類の粘弾性材料を混合して構成されていることを特徴とするゴルフクラブヘッドが提供される。
【０００７】
粘弾性材料の損失係数（ｔａｎδ）の温度依存性は、各温度に対するその粘弾性材料の振動減衰効果の程度を示すものであるが、各周波数に対するその粘弾性材料の振動減衰効果の程度に関係する。つまり、相対的に、低温度において損失係数が高い粘弾性材料は高周波数帯に対する振動減衰効果が高い一方、高温度において損失係数が高い粘弾性材料は低周波数帯に対する振動減衰効果が高い。
【０００８】
従って、損失係数の温度依存性が異なる複数種類の粘弾性材料を混合することで、各粘弾性材料単独では得られない、より広範囲な周波数の振動を低減することができる粘弾性体が得られる。これをゴルフクラブに装着することで、より広範囲な周波数の振動を低減することができる。
【発明の効果】
【０００９】
以上述べた通り、本発明によれば、粘弾性体の装着によりゴルフクラブヘッドの振動を低減するにあたり、より広範囲な周波数の振動を低減することができる。
【発明を実施するための最良の形態】
【００１０】
図１は本発明の一実施形態に係るゴルフクラブヘッドＡの分解斜視図、図２（Ａ）はゴルフクラブヘッドＡが分解状態での図１の線Ｘ−Ｘに沿う断面図、図２（ｂ）はゴルフクラブヘッドＡを組み立てた状態での図１の線Ｘ−Ｘに沿う断面図、図３は図２（Ａ）の線Ｙ−Ｙに沿う断面図である。
【００１１】
ゴルフクラブヘッドＡはアイアン型のゴルフクラブヘッドであり、ヘッド本体１０と、ヘッド本体１０の正面側に取り付けられ、フェース面２０ａを構成するフェースプレート２０とを備える。本実施形態ではアイアン型のゴルフクラブヘッドを例示するが、他の形式のゴルフクラブヘッドに対しても本発明は適用可能である。
【００１２】
ヘッド本体１０はシャフトに連結されるホゼル部１０ａと、ソール部１０ｂと、バック部１０ｃと、が一体に形成されており、例えば、ステンレス鋼や軟鉄から構成される。ヘッド本体１０の上部はその正面側から背面側に貫通する開口部１０ｄが形成され、ヘッド本体１０の軽量化及び低重心化が図られている。また、ヘッド本体１０の正面にはフェースプレート２０の装着空間を画定するリブ１０ｅが形成されていると共にフェースプレート２０の背面が当接する当接部１０ｆが形成されている。
【００１３】
フェースプレート２０は、その正面にフェース面２０ａが、その周縁に段部２０ｂが形成されており、その背面は平坦な面をなしている。フェースプレート２０は例えばステンレス鋼、マルエージング鋼、真鍮、銅合金（例えば、ベリリウム銅、青銅）、チタン、チタン合金、ジュラルミン、アモルファス金属、ＦＲＭ等から構成される。
【００１４】
ヘッド本体１０にはフェースプレート２０側に開口し、バック部１０ｃ側で閉じた空洞部１１が形成されている。空洞部１１はヘッド本体１０に一体的に形成された周壁１２乃至１４により画定されている。周壁１２乃至１４のフェースプレート２０側の端面のうち、空洞部１１の上部の周壁１２の端面は当接部１０ｆと面一でフェースプレート２０の背面に当接する当接部１２ａと、当接部１２ａの内側においてフェースプレート２０の背面から離間する離間部１２ｂと、を有する。また、空洞部１１の底部の周壁１４の端面は当接部１０ｆと面一でフェースプレート２０の背面に当接する当接部１４ａのみから構成されている。更に、空洞部１１の両側部の周壁１３の端面はフェースプレート２０の背面から離間し、離間部１２ｂと面一の離間部１３ａを有する。離間部１３ａは離間部１２ｂと異なり、周壁１３の厚み方向全域に渡って形成されている。
【００１５】
空洞部１１の両側には第２の空洞部１５がそれぞれ形成されている。空洞部１５はヘッド本体１０を軽量化するために設けられている。本実施形態では空洞部１５を空洞部１１の両側に設けているが片側にだけ設けることもできる。また、本実施形態では空洞部１５は空洞のままとするが、ここにゴルフクラブヘッドＡの重心位置を調整するための錘等を装填することも可能である。
【００１６】
空洞部１１とフェースプレート２０とにより形成される空間内には粘弾性体３０が圧縮状態で装填されている。粘弾性体３０はその正面３０ａがフェースプレート２０の背面に密着している。
【００１７】
粘弾性体３０は損失係数（ｔａｎδ）の温度依存性が異なる複数種類の粘弾性材料を混合して構成される。粘弾性材料の損失係数の温度依存性は、各温度に対するその粘弾性材料の振動減衰効果の程度を示すものであるが、各周波数に対するその粘弾性材料の振動減衰効果の程度に関係する。つまり、相対的に、低温度において損失係数が高い粘弾性材料は高周波数帯に対する振動減衰効果が高い一方、高温度において損失係数が高い粘弾性材料は低周波数帯に対する振動減衰効果が高い。
【００１８】
従って、損失係数の温度依存性が異なる複数種類の粘弾性材料を混合することで、各粘弾性材料単独では得られない、より広範囲な周波数の振動を低減することができる粘弾性体が得られる。これをゴルフクラブＡに装着することで、より広範囲な周波数の振動を低減することができる。
【００１９】
粘弾性体３０を構成するために混合される各粘弾性材料としては、例えば、ＩＩＲ（臭化ブチル組成物）、ＮＢＲ（アクリロニトリルブタジエンゴム）、天然ゴム、シリコンゴム、スチレン系ゴム等が挙げられる。粘弾性体３０は、上記粘弾性材料を混合したものに例えば金属粉末等を混入して形成し、その比重を調整することもできる。
【００２０】
損失係数の温度依存性が異なる複数種類の粘弾性材料を混合する方法としては、例えば、各粘弾性材料を加熱して軟化させ、これらを混練することが挙げられ、各粘弾性材料の組成を変えずに均一に混練することが望ましい。
【００２１】
ここで、粘弾性体３０は、互いに損失係数のピーク値温度が異なる複数種類の粘弾性材料から構成されることが望ましい。一般に粘弾性材料の損失係数はピーク値温度を境にして各温度に対する損失係数が徐々に下がる。従って、損失係数のピーク値温度が異なる複数種類の粘弾性材料を混合することで、より広範囲な周波数の振動を低減できる粘弾性体３０が得られる。
【００２２】
また、混合される複数種類の粘弾性材料は、損失係数のピーク値温度の差が摂氏１５度以上である２種類の粘弾性材料を含むことが望ましい。このような粘弾性材料を混合することで、より広範囲な周波数の振動を低減できる粘弾性体３０が得られる。但し、複数種類の粘弾性材料の損失係数のピーク値温度の差が大きすぎると、それらを混合した粘弾性体は、各ピーク値温度の中間の温度での損失係数が大きく下がる場合がある。従って、混合される複数種類の粘弾性材料は、損失係数のピーク値温度の差が摂氏１５度以上６０度以下、更に望ましくは摂氏１５度以上３５度以下である２種類の粘弾性材料を含むことが望ましい。
【００２３】
また、混合される複数種類の粘弾性材料は、損失係数のピーク値温度が摂氏−３０度未満の粘弾性材料と、損失係数のピーク値温度が摂氏−３０度以上の粘弾性材料とを含むことが望ましい。損失係数のピーク値温度が摂氏−３０度未満の粘弾性材料は相対的に高周波数帯に対する振動減衰効果が高く、摂氏−３０度以上の粘弾性材料は相対的に低周波数体に対する振動減衰効果が高い。従って、より広範囲な周波数の振動を低減できる。
【００２４】
また、混合される複数種類の粘弾性材料は、これらにより得られる粘弾性体３０の損失係数が摂氏−４０度以上−１０度以下の範囲で０．３以上であることが望ましい。損失係数が０．３以上であると、より高い振動減衰効果が得られる。
【００２５】
係る構成からなるゴルフクラブヘッドＡでは、その組立に際し、まず、ヘッド本体１０の空洞部１１に粘弾性体３０が挿入される。次に、図２（Ｂ）に示すように、フェースプレート２０の背面がヘッド本体１０の当接部１０ｆにぴったりと当接するようにフェースプレート２０がリブ１０ｅに画定されるヘッド本体１０の装着空間内に挿入される。その後、リブ１０ｅがフェースプレート２０の段部２０ｂへカシメられ、フェースプレート２０がヘッド本体１０に固定される。粘弾性体３０は空洞部１１内部にてこれが圧縮されるようにその大きさが設計される。
【００２６】
しかして、本実施形態のゴルフクラブヘッドＡでは、損失係数の温度依存性が異なる複数種類の粘弾性材料を混合して構成される粘弾性体３０が装填されたことにより、より広範囲な周波数の振動を低減することができる。粘弾性体３０がより広範囲な周波数の振動を低減できることから、粘弾性体３０が一つであっても十分な振動低減を実現でき、複数装填する場合に比べてゴルフクラブヘッドＡの部品点数の削減、組立作業の容易化が図れる。尤も、粘弾性体３０は異なる部位に複数装填してもよく、この場合、各粘弾性体として、その損失係数の温度依存性が互いに異なるものを使用することもできる。
【００２７】
次に、本実施形態では、粘弾性体３０はゴルフクラブヘッドＡの内部に配設されているので外部に露出せず、本体部１０及びフェースプレート２０により保護されるので、その損傷の発生を防止できる。また、粘弾性体３０は圧縮状態で空洞部１１及びフェースプレート２０により画定される空間内に装填されているので、粘弾性体３０がゴルフクラブヘッドＡに密着し、振動低減効果を高めることができる。
【００２８】
また、空洞部１１を画定する周壁１２及び１３の端面に離間部１２ｂ及び１３ａを設けることで、周壁１２及び１３の端面に空洞部１１と連通した空隙が形成される。このため、圧縮状態の粘弾性体３０の一部が当該空隙内へはみ出すことが許容される。
【００２９】
図２（Ｂ）は粘弾性体３０の一部が離間部１２ｂとフェースプレート２０との間の空隙にはみ出している状態を示している。従って、粘弾性体３０の圧縮代を大きくしても、ヘッド本体１０にフェースプレート２０を取り付ける際に、ヘッド本体１０とフェースプレート２０とが粘弾性体３０を噛んでしまう場合を防止することができる。特に、本実施形態の場合、離間部１３ａにより形成される空隙は空洞部１１のみならず、空洞部１５とも連通しているので、粘弾性体３０がはみ出すことが許容される量が多くなり、一層ヘッド本体１０とフェースプレート２０とが粘弾性体３０を噛んでしまう場合を防止することができる。また、粘弾性体３０の一部が離間部１２ｂ及び１３ａとフェースプレート２０との間の空隙にはみ出すことにより、粘弾性体３０とフェースプレート２０との密着面積もより大きくなる。
【００３０】
また、第１粘弾性体３０は正面３０ａがフェースプレート２０の背面と平行になるように、その形状並びに空洞部１１の形状を設計することで、粘弾性体３０の正面３０ａが略均一な圧力でフェースプレート２０の背面に密着し、密着性を向上できる。
【００３１】
また、本実施形態では、空洞部１１はヘッド本体１０の下部側に形成されており、空洞部１１に装填される粘弾性体３０はヘッド本体１０の下部側に位置している。この構成により、ゴルフクラブヘッドＡの重心位置を下げることができ、低重心化を図ることができる。また、アイアン型のゴルフクラブではゴルフボールの打点位置がフェース面２０ａの下部寄りとなるので、ゴルフボールの打点位置の略背後に粘弾性体３０が位置することになり、粘弾性体３０による制振効果を向上できる。
【００３２】
また、本実施形態では粘弾性体３０はフェースプレート２０に沿う方向の幅（図１のｄ）が、その上部から下方へ向かうに従い幅広となっており、空洞部１１もこれに対応した形状となっている。このため、粘弾性体３０の重心位置は下部寄りになっており、これによりゴルフクラブヘッドＡの重心位置を下げることができ、更に低重心化を図ることができる。
【００３３】
なお、本実施形態では粘弾性体３０をフェースプレート２０の背後の位置に配設しているが、粘弾性体の配設位置はこれに限られず、種々の部位に装着することができる。
【実施例】
【００３４】
図１に示したゴルフクラブヘッドＡについて比較試験を行なった。粘弾性体３０として、本発明の実施例と比較例とにおいて使用した粘弾性材料は以下の通りである。
・実施例：
アクリロニトリルブタジエンゴムと臭化ブチル組成物との混合物
・比較例１：
実施例の臭化ブチル組成物単体
・比較例２：
実施例のアクリロニトリルブタジエンゴム単体
なお、実施例においてアクリロニトリルブタジエンゴムと臭化ブチル組成物とは、配合量を３：７とし、約摂氏１７０度で加熱して軟化させ、両者を均一に混練した。
【００３５】
図４（Ａ）は実験に用いた各粘弾性材料の損失係数の温度依存性を示す図であり、１Ｈｚの振動に対する温度依存性を示す図である。同図において、線ａは比較例１の粘弾性体３０に用いた粘弾性材料（臭化ブチル組成物単体）の損失係数の温度依存性、線ｂは比較例２の粘弾性体３０に用いた粘弾性材料（アクリロニトリルブタジエンゴム単体）の損失係数の温度依存性、線ｃは実施例の粘弾性体３０に用いた粘弾性材料（比較例２のアクリロニトリルブタジエンゴムと比較例１の臭化ブチル組成物との混合物）の損失係数の温度依存性を示す。
【００３６】
なお、図４（Ａ）の線ａ及び線ｂに示されるように、実施例の粘弾性材料（混合物）に用いた各粘弾性材料は、その損失係数のピーク値温度が異なっている。また、各粘弾性材料は損失係数のピーク値温度の差が約摂氏２０度であり、摂氏１５度以上である。また、一方の粘弾性材料の損失係数のピーク値温度は摂氏−３０度未満であり（線ａ）、他方の粘弾性材料の損失係数のピーク値温度は摂氏−３０度以上である（線ｂ）。
【００３７】
図４（Ａ）の線ｃで示される実施例の粘弾性材料は、比較例１及び２の各粘弾性材料の損失係数の温度依存性を加え合わせたような特性を示しており、損失係数が高い温度領域が広がっている。なお、図４（Ａ）の線ｃで示されるように実施例の粘弾性材料（混合物）は、損失係数が摂氏−４０度以上−１０度以下の範囲で０．３以上である。
【００３８】
図４（Ｂ）は実施例及び比較例１及び２の各ゴルフクラブヘッドに対する振動計測実験の結果を示す図であり、モーダル解析により減衰比を算出したものである。図中のプロットは各ゴルフクラブヘッドの共振周波数における減衰比を示しており、四角のプロットは実施例、丸のプロットは比較例１、三角のプロットは比較例２を示す。実施例では広範囲の周波数において高い減衰比が得られていることが分かる。
【図面の簡単な説明】
【００３９】
【図１】本発明の一実施形態に係るゴルフクラブヘッドＡの分解斜視図である。
【図２】（Ａ）はゴルフクラブヘッドＡが分解状態での図１の線Ｘ−Ｘに沿う断面図、（Ｂ）はゴルフクラブヘッドＡを組み立てた状態での図１の線Ｘ−Ｘに沿う断面図である。
【図３】図２（Ａ）の線Ｙ−Ｙに沿う断面図である。
【図４】（Ａ）は比較実験に用いた各粘弾性材料の損失係数の温度依存性を示す図、（Ｂ）は実施例及び比較例１及び２の各ゴルフクラブヘッドに対する振動計測実験の結果を示す図である。
【符号の説明】
【００４０】
Ａ  ゴルフクラブヘッド
１０  本体部
１１  空洞部
１２〜１４  周壁
１０ｆ、１２ａ、１４ａ  当接部
１２ｂ、１３ａ  離間部
１５  空洞部
２０  フェースプレート
３０  粘弾性体
【図１】
2007151828.tif 000003
【図２】
2007151828.tif 000004
【図３】
2007151828.tif 000005
【図４】
2007151828.tif 000006